(57)【要約】【課題】　今までにない視覚的効果を奏し得る電飾装置を備えた遊技機を提供する。【解決手段】　遊技に必要な各種装置を配置する遊技盤１を備えた遊技機において、遊技盤１上に形成される遊技領域の外周に沿った形状の電飾部材を前後に段階的にずらして複数設置し、複数の電飾部材により遊技領域全体を照明する。【選択図】　　　　図１
2004041809.tif 000002
【特許請求の範囲】
【請求項１】
　遊技に必要な各種装置を配置する遊技盤を備えた遊技機において、
　前記遊技盤上に形成される遊技領域の外周に沿った形状の電飾部材を前後に段階的にずらして複数設置し、
　当該複数の電飾部材により前記遊技領域全体を照明することを特徴とする遊技機。
【請求項２】
　請求項１記載の遊技機において、
　前記複数の電飾部材は、それぞれ発光色の異なるもので構成されることを特徴とする遊技機。
【発明の詳細な説明】
【技術分野】
【０００１】
　本発明は、遊技媒体として遊技球等を用いるパチンコ機やアレンジボールゲーム機等の弾球遊技機、或いは遊技媒体としてメダル等を用いるスロットマシン等の遊技機に関する。
【背景技術】
【０００２】
　一般に、この種の遊技機では、遊技中の視覚的効果を施すことで遊技の興趣を高めるための手段として各種電飾装置を備える。例えば、遊技媒体として遊技球を用いるパチンコ機では、遊技盤上に、遊技に必要な部材として、遊技球の入球により遊技価値を付与する入賞用の部材や、遊技球の流下経路を形成する風車等の各種部材が配設され、これらの部材の裏側にランプ等の電飾部材が組付けられ、電飾装置を構成している。また、遊技盤上にランプ等の電飾部材を直接取り付け、電飾装置を構成している場合もある。これらの電飾装置は、遊技内容に応じて、点灯及び消灯が制御され、遊技の興趣を高めるような視覚的効果を奏し得るようになっている。なお、電飾部材としては、豆球ランプ、発光ダイオード(ＬＥＤ)、エレクトロルミネセンス（ＥＬ）等が多く利用されている。
【発明の開示】
【発明が解決しようとする課題】
【０００３】
　ところが、従来の電飾装置で奏し得る視覚的効果には限界があり、遊技の興趣を高める上で新たな視覚的効果を奏し得るものが求められている。また、従来の電飾装置では、遊技盤の前方に向かって発光するため、遊技者によっては、眩しいと感じ、遊技領域を見続けることが困難であった。
【０００４】
　本発明の目的は、今までにない視覚的効果を奏し得る電飾装置を備えた遊技機を提供することである。
【課題を解決するための手段】
【０００５】
　本発明は、遊技に必要な各種装置を配置する遊技盤を備えた遊技機において、遊技盤上に形成される遊技領域の外周に沿った形状の電飾部材を前後に段階的にずらして複数設置し、当該複数の電飾部材により遊技領域全体を照明することを特徴とする。この遊技機において、複数の電飾部材をそれぞれ発光色の異なるもので構成してもよい。
【発明の効果】
【０００６】
　本発明の遊技機によれば、遊技盤上に形成される遊技領域の外周に沿って、その外周に沿った形状の電飾部材を前後に段階的にずらして複数設置し、当該複数の電飾部材により遊技領域全体を照明するので、個々の電飾部材からの光によって奥行き感を創出することができる。また、この第４の態様としての遊技機において、設置する複数の電飾部材をそれぞれ発光色の異なるものとすることで、創出される奥行き感をより高めることができる。
【発明を実施するための最良の形態】
【０００７】
　図１は、本発明の実施例としてのパチンコ機の遊技盤１を示す正面図である。遊技盤１は、その中央に弾球遊技のための遊技領域を形成している。遊技盤１は、アクリル樹脂等からなる透明板で形成され、その表面には、種々の図柄が印刷されたセルロイド製のシート２が貼られると共に、各種装置（各種入賞口，パチンコ球の流下経路を形成する風車，釘等）が配設される。また、遊技盤１の前方には、透明窓３（図２）が設けられ、遊技者は、この透明窓３を通して遊技領域を見ることになる。
【０００８】
　また、遊技盤１上のセルロイド製のシート２は、遊技盤１の裏面後方に設けられた電飾部材としてのネオン管４，５が見えるように一部が刳り貫かれている。すなわち、その刳り貫かれた部分からは、透明板である遊技盤１を通して２つのネオン管４，５が視認できるようになっている。２つのネオン管４，５は、遊技領域の外周に沿った形状の環状に形成され、遊技盤１上の各種装置を取り囲むように配置される。以下、このようなネオン管４，５を「環状ネオン管」と称する。
【０００９】
　図２は、図１のＡ−Ａ部の断面を示す。前述の通り、遊技盤１上には、セルロイド製のシート２が貼られ、さらにそのシート２上に各種装置が配設されている。２つの環状ネオン管４，５は、遊技盤１の裏面に取り付けられたケース７によって保持されている。ケース７は、その外周部分が２段の階段状に形成され、その階段部７ａ，７ｂに２本の環状ネオン管４，５が、それぞれ取り付けられている。従って、２つの環状ネオン管４，５は、それぞれ前後に段階的にずらしたような配置となる。外径の大きい環状ネオン管５は前方の階段部７ａに、外径の小さい環状ネオン管４は後方の階段部７ｂにそれぞれ取り付けられている。
【００１０】
　また、遊技盤１の裏面に設けられた２つの環状ネオン管４，５は、それぞれ発光色が異なる。具体的には、前方に位置する環状ネオン管５は黄色に発光するネオン管で構成し、後方に位置する環状ネオン管４は赤色に発光するネオン管で構成する。このように、前方に位置する環状ネオン管５を薄い色（黄色）とし、後方に位置する環状ネオン管４を濃い色（赤色）とした場合、遊技盤１の中央に向かって奥まっているように見せることができる。もちろん、２つのネオン管の発光色を同一色とした場合でも奥行き感を創出できるが、発光色を異ならせることで創出される奥行き感をより高めることができる。
【００１１】
　また、２つの環状ネオン管４，５は、円形の遊技領域の外周に沿った形状であるので、遊技盤１の周囲からの光により遊技領域内を照明することができ、さらに、円形の遊技領域の外周が強調されるという視覚的効果を奏し得る。
【００１２】
　以上の例では２つの環状ネオン管を用いたが、３つ以上の環状ネオン管を用いて、より深い奥行き感を創出するようにしてもよい。
【００１３】
　図３は、第２の実施例として、電飾部材としての棒状のネオン管８（「棒状ネオン管」という）を透明板からなる遊技盤１の周囲に取り付けた場合を示す。ここでは、遊技盤１の４つの側面にそれぞれ棒状ネオン管８を取り付けている。
【００１４】
　この場合、各棒状ネオン管８からの光は、図３に示すような矢印の方向に照射されるので、これらの光は遊技盤１の内部で干渉し合い、その干渉し合った光で遊技盤全体を照明するため、今までにない雰囲気を醸し出すことができる。例えば、取り付けられる４本の棒状ネオン管８が全て同一の発光色である場合は、遊技盤１上に同一色の明度の差によるグラデーションが創出される。また、取り付けられる４本のネオン管８のうちのいずれか又は全てを異なる発光色とした場合は、遊技の状況に応じて遊技盤１内部の光の色を変化させたり、複数色の光を同時に発生することで遊技盤１内に複数色が混ざった明度の差によるグラデーションを創出することができる。また、このような照明は、遊技者に向かって直接照射するものでないため、遊技者は眩しいと感じることはない。
【００１５】
　図４及び図５は、第３の実施例として、電飾部材としてのネオン管を透明な遊技盤１の内部に埋め込んだ場合について示す。
【００１６】
　図４に示した例は、遊技盤１上に形成される円形の遊技領域と同径の環状部を有するネオン管９を遊技盤１の内部に埋め込んだ場合である。この場合、遊技盤１上に形成される円形の遊技領域の外周が強調されるという視覚的効果を奏し得る。
【００１７】
　図５に示した例は、文字や図形を表す形状のネオン管を透明な遊技盤１の内部に埋め込んだ場合で、ここでは“Ｃ”の文字を表す形状のネオン管１０を遊技盤１の内部に２つ横並びに埋め込んだ場合について示す。この場合、“ＣＣ”といった文字が表現される。このように、文字や図形を表す形状のネオン管１０を透明な遊技盤１の内部に埋め込んで点灯させた場合、遊技状況を表す言葉（例えば、“大当り”）や、何らかのロゴ（例えば、遊技機の製造会社のロゴマーク）等を遊技領域内に浮かび上がらせるような演出表現が可能となる。
【００１８】
　図６は、第４の実施例として、ベニヤ板１１にネオン管を埋め込み、その上に透明板１３を被せることで遊技盤を形成した場合を示す。
【００１９】
　この図６に示すように、ベニヤ板１１の正面中央に円形の遊技領域と同一の外径を有する円環状のＵ溝１２を形成し、このＵ溝１２に環状のネオン管を埋め込み、ベニヤ板１１の正面に透明板１３を重ね合わせることで遊技盤を形成する。この場合、前述の図４に示した場合と同様に、遊技盤上に形成される円形の遊技領域の外周が強調されるという視覚的効果を奏し得る。
【００２０】
　また、この図６に示す例では、ベニヤ板１１の表面左右に前方に突起した爪１４を形成し、この爪１４が嵌まるような穴１５を透明板１３の左右に形成することで、ベニヤ板１１と透明板１３との脱着を容易にしている。この場合、一旦ネオン管を埋め込んだ後でも、別のネオン管への交換が容易にできる。
【００２１】
　以上の実施例では、電飾部材としてネオン管を用いたが、その他、蛍光材や光ファイバ等を用いてもよい。
【００２２】
　また、本発明は、パチンコ機やアレンジゲーム機等の弾球遊技機のほか、スロットマシンその他の遊技機にも好適に用いられる。
【００２３】
　尚、実施例の遊技機として以下の遊技機を採用することができる。
【００２４】
　（１）　遊技に必要な各種装置を配置する遊技盤を備えた遊技機において、前記遊技盤上に形成される遊技領域の外周に沿った形状の電飾部材を設け、当該電飾部材により前記遊技領域全体を照明することを特徴とする遊技機。
【００２５】
　（２）　遊技に必要な各種装置を配置する遊技盤を備えた遊技機において、前記遊技盤を透明板で構成し、当該遊技盤の外周に電飾部材を配置したことを特徴とする遊技機。
【００２６】
　（３）　遊技に必要な各種装置を配置する遊技盤を備えた遊技機において、前記遊技盤を透明板で構成し、当該遊技盤の内部に電飾部材を埋め込んだことを特徴とする遊技機。
【００２７】
　（４）　遊技に必要な各種装置を配置する遊技盤を備えた遊技機において、前記遊技盤上に形成される遊技領域の外周に沿った形状の電飾部材を前後に段階的にずらして複数設置し、当該複数の電飾部材により前記遊技領域全体を照明することを特徴とする遊技機。
【００２８】
　（５）　（４）記載の遊技機において、前記複数の電飾部材は、それぞれ発光色の異なるもので構成されることを特徴とする遊技機。
【００２９】
　本実施例は、遊技に必要な各種装置を配置する遊技盤を備えた遊技機において、遊技盤上に形成される遊技領域の外周に沿った形状の電飾部材を設け、当該電飾部材により遊技領域全体を照明することを特徴とする。
【００３０】
　本実施例の第２の態様は、遊技に必要な各種装置を配置する遊技盤を備えた遊技機において、遊技盤を透明板で構成し、当該遊技盤の外周に電飾部材を配置したことを特徴とする。
【００３１】
　本実施例の第３の態様は、遊技に必要な各種装置を配置する遊技盤を備えた遊技機において、遊技盤を透明板で構成し、当該遊技盤の内部に電飾部材を埋め込んだことを特徴とする。
【００３２】
　本実施例の第４の態様は、遊技に必要な各種装置を配置する遊技盤を備えた遊技機において、遊技盤上に形成される遊技領域の外周に沿った形状の電飾部材を前後に段階的にずらして複数設置し、当該複数の電飾部材により遊技領域全体を照明することを特徴とする。この遊技機において、複数の電飾部材をそれぞれ発光色の異なるもので構成してもよい。
【００３３】
　本実施例の第１の態様としての遊技機によれば、遊技領域の外周に沿った形状の電飾部材により遊技領域全体を照明するので、遊技者側に向けて光が直接照射されず、周囲からの照明となり、今までにない趣の演出が可能となる。例えば、遊技領域が円形である場合、電飾部材の形状をこの遊技領域と同一の径を有する円環状とすることで、遊技領域の外周が強調されるという視覚的効果を奏し得る。
【００３４】
　本実施例の第２の態様としての遊技機によれば、透明板で構成された遊技盤の外周に電飾部材を配置するので、遊技盤の内部を通る光の明度の差によるグラデーションを創出できる。また、遊技盤の内部で光が干渉し合い、その干渉し合った光で遊技領域全体を照明するため、今までにない雰囲気を醸し出すことができる。また、透明板で構成された遊技盤の外周に発光色の異なる複数の電飾部材を配置した場合、遊技の状況に応じて遊技盤内部の光の色を変化させたり、複数色の光を同時に発生することで遊技盤内に複数色が混ざった明度の差によるグラデーションを創出することができる。また、このような照明は、遊技者に向かって直接照射するものでないため、遊技者は眩しいと感じることはない。
【００３５】
　本実施例の第３の態様としての遊技機によれば、透明板で構成された遊技盤の内部に電飾部材を埋め込むので、文字や図形を表す形状の電飾部材を透明板からなる遊技盤の内部に埋め込んで点灯させた場合、遊技状況を表す言葉（例えば、“大当り”）や、何らかの標章（例えば、遊技機の製造会社のロゴマーク）等を遊技領域内に浮かび上がらせるような演出表現が可能となる。
【００３６】
　本実施例の第４の態様としての遊技機によれば、遊技盤上に形成される遊技領域の外周に沿って、その外周に沿った形状の電飾部材を前後に段階的にずらして複数設置し、当該複数の電飾部材により遊技領域全体を照明するので、個々の電飾部材からの光によって奥行き感を創出することができる。また、この第４の態様としての遊技機において、設置する複数の電飾部材をそれぞれ発光色の異なるものとすることで、創出される奥行き感をより高めることができる。
【図面の簡単な説明】
【００３７】
【図１】本発明の実施例としてのパチンコ機の遊技盤を示す正面図。
【図２】図１のＡ−Ａ部の断面図。
【図３】遊技盤の周囲に棒状ネオン管を取り付けた場合について示す図。
【図４】遊技盤の内部にネオン管を埋め込んだ場合について示す図。
【図５】遊技盤の内部にネオン管を埋め込んだ場合についての別の例を示す図。
【図６】ネオン管を埋め込んだベニヤ板に透明板を被せて遊技盤を形成した場合について示す図。
【符号の説明】
【００３８】
　１…遊技盤、２…シート、３…透明窓、４，５，８，９，１０…ネオン管、７…ケース、７ａ，７ｂ…階段部、１１…ベニヤ板、１２…Ｕ溝、１３…透明板、１４…爪、１５…穴。
【図１】
2004041809.tif 000003
【図２】
2004041809.tif 000004
【図３】
2004041809.tif 000005
【図４】
2004041809.tif 000006
【図５】
2004041809.tif 000007
【図６】
2004041809.tif 000008